(57)【要約】【課題】  高密度・高容量タイプの光ディスクに適する光ピックアップであって、スポット形成に際して非点収差等の発生が少なくその変動が少ない対物レンズからなる光ヘッドを提供すること。【解決手段】  対物レンズ１１のフランジ部１１ｂに環状の放熱フィン１１ｃを形成しているので、対物レンズ１１の加熱又は昇温を抑えることができる。これにより、対物レンズ１１を利用した光記録面上へのスポット形成に際して、非点収差、球面収差等が発生しにくくなり、高ＮＡの対物レンズ１１からなる光ヘッドであっても高い検出精度、記録精度等を確保することができる。【選択図】  図１
2005063515.tif 000002
【特許請求の範囲】
【請求項１】
光記録媒体の記録面上にスポットを形成するための光ヘッドであって、
入射光束をスポットとして収束させる対物レンズ本体と、
前記対物レンズ本体の周囲に形成されるとともに、冷却手段を有するフランジ部材と、
前記対物レンズ本体を収容する開口部を有するとともに、前記フランジ部材を支持するホルダと、
を備えることを特徴とする光ヘッド。
【請求項２】
トラッキングコイル及びフォーカシングコイルの少なくとも一方をさらに備え、前記トラッキングコイル及びフォーカシングコイルの少なくとも一方は、前記フランジ部材の周囲に不均一な分布で配置されて固定されていることを特徴とする請求項１記載の光ヘッド。
【請求項３】
前記冷却手段は、表面に放熱効率を高めるための凹凸を有する放熱手段であることを特徴とする請求項１及び請求項２のいずれか一項記載の光ヘッド。
【請求項４】
前記放熱手段は、複数の突起が繰返す構造を有するフィン状構造体であることを特徴とする請求項３記載の光ヘッド。
【請求項５】
前記放熱手段は、複数の溝が繰返す構造を有する多孔状構造体であることを特徴とする請求項３記載の光ヘッド。
【請求項６】
前記ホルダは、前記放熱手段が外気に触れるように前記フランジ部材を支持することを特徴とする請求項３から請求項５のいずれか一項記載の光ヘッド。
【請求項７】
前記対物レンズは、プラスチックの成形品であることを特徴とする請求項１から請求項６のいずれか一項記載の光ヘッド。
【請求項８】
請求項１から請求項７のいずれか一項記載の光ヘッドを備え、光記録媒体の記録面上の情報を読み取り、若しくは当該記録面に情報を書き込むことができる光ピックアップ装置。
【発明の詳細な説明】
【技術分野】
【０００１】
本発明は、大容量の光ピックアップ装置用の光ヘッドに関し、特に高ＮＡでありながら良好な集光特性を有する光ヘッド、及び、かかる光ヘッドを組み込んだ光ピックアップ装置に関する。
【背景技術】
【０００２】
これまで、ＣＤ（コンパクト・ディスク）等の光情報記録媒体に対して情報の再生・記録を行うための各種光ピックアップ装置が開発・製造され、一般に普及している。かかる光ピックアップ装置に組み込まれる光ヘッドとして、断熱用の放熱溝やスリット状貫通孔を適宜形成したレンズホルダを用い、かかるレンズホルダに対して対物レンズを固定するものが存在する（特許文献１，２参照）。このような光ヘッドでは、駆動コイルによる発熱によって対物レンズが不均一に加熱されることを比較的確実に防止できるので、温度変化に伴う非点収差の発生をある程度抑えることができ、対物レンズの温度性能を改善することができる。
【０００３】
【特許文献１】特開平１０−１６２４０７号公報
【０００４】
【特許文献２】特開平１１−３５３６７５号公報
【発明の開示】
【発明が解決しようとする課題】
【０００５】
ところで、ここ数年で普及して来ているＤＶＤ（デジタル・ビデオ・ディスク）では、情報記録孔を小さくすることによってＣＤよりも記憶容量を飛躍的に増大させており、対物レンズのＮＡも０．６程度と、ＣＤ用の対物レンズのＮＡ０．４５に比較してかなり大きなものとなっている。
【０００６】
さらに最近では、光源として波長４０５ｎｍ前後のいわゆる青紫光のレーザ光源を用いた高密度・高容量タイプの光ディスクが開発されつつある。このような光ディスクについては、対物レンズのＮＡ、スポット径、光ディスクの保護基板厚等の規格が現時点で十分に統一されていないものの、対物レンズのＮＡがＤＶＤ用の対物レンズの場合よりもさらに増大する可能性があることから、より非点収差の少ない高性能の対物レンズが求められており、対物レンズの温度性能に対する要求スペックはますます厳しいものとなっている。
【０００７】
さらに、上述のような高密度・高容量タイプの光ディスクでは、高速の読み取りが必要になり、光ピックアップに高速応答性が要求され発熱量も一段と増加すると考えられる。この観点からも、光ヘッドの温度特性の向上が求められており、従来のようにレンズホルダの形状的工夫のみでは十分に対応できなくなってきている。特に、高密度・高容量タイプの新規光ディスクと、ＤＶＤ等の旧来型光ディスクとの複数規格の併用を可能にする互換型の光ピックアップ装置では、対物レンズの球面収差、非点収差等の温度補償も容易でなく、温度変化に伴う球面収差、非点収差等の変化が少ない対物レンズすなわち良好な温度特性の光ヘッドに対する要求が高まっている。
【０００８】
そこで、本発明は、高密度・高容量タイプの光ディスクに適する光ピックアップであって、スポット形成に際して非点収差等の発生が少なくその変動が少ない対物レンズからなる光ヘッドを提供することを目的とする。
【０００９】
また、本発明は、スポット形成に際して非点収差が少ない光ヘッドからなる光ピックアップ装置を提供することを目的とする。
【課題を解決するための手段】
【００１０】
上記課題を解決するため、本発明に係る光ヘッドは、光記録媒体の記録面上にスポットを形成するための光ヘッドであって、入射光束をスポットとして収束させる対物レンズ本体と、前記対物レンズ本体の周囲に形成されるとともに冷却手段を有するフランジ部材と、前記対物レンズ本体を収容する開口部を有するとともに前記フランジ部材を支持するホルダとを備える。
【００１１】
上記光ヘッドでは、前記対物レンズ本体の周囲に形成されるフランジ部材が冷却手段を有するので、フランジ部材を支持するホルダから対物レンズ本体に伝わる熱量を冷却手段によって制限することができ、或いは対物レンズ本体で発生した熱を冷却手段に吸収させることができ、対物レンズの加熱又は昇温を防止することができる。これにより、光記録面上へのスポット形成に際して非点収差、球面収差等やそれらの経時変化が発生しにくくなり、高ＮＡの対物レンズからなる光ヘッドであっても高い検出精度等を確保することができる。なお、ホルダに断熱用の放熱溝やスリット状貫通孔を追加的に形成することもでき、この場合、相乗的に対物レンズの温度上昇を防止でき、結像特性の変化をさらに防止できる。
【００１２】
また、本発明の具体的態様では、トラッキングコイル及びフォーカシングコイルの少なくとも一方をさらに備え、前記トラッキングコイル及びフォーカシングコイルの少なくとも一方が、前記フランジ部材の周囲に不均一な分布で配置されて固定されている。この場合、トラッキングコイルやフォーカシングコイルを利用してホルダとともにフランジ部材を介して対物レンズ本体を適宜変位させることができる。この際、トラッキングコイルやフォーカシングによってホルダが不均一に加熱されても、かかる不均一な加熱に対応して対物レンズ本体が不均一な分布で加熱されることを防止できるので、非点収差の少ない光ヘッドを提供することができる。
【００１３】
また、本発明の別の具体的態様では、前記冷却手段が、表面に放熱効率を高めるための凹凸を有する放熱手段である。この場合、フランジ部材の表面形状を適宜規定するだけで効率的な放熱が可能になり、簡易に対物レンズ本体への熱流の遮断や対物レンズ本体の冷却を達成することができる。
【００１４】
また、本発明の別の具体的態様では、前記放熱手段が、複数の突起が繰返す構造を有するフィン状構造体である。この場合、フィン状構造体によって迅速で効率的な冷却が可能になる。
【００１５】
また、本発明の別の具体的態様では、前記放熱手段が、複数の凹部が繰返す構造を有する多孔状構造体である。この場合、多孔状構造体によって効率的な冷却が可能になる。なお、複数の凹部は、溝状のものとすることができるが、各種断面形状の穴とすることもできる。
【００１６】
また、本発明の別の具体的態様では、前記ホルダが、前記放熱手段が外気に触れるように前記フランジ部材を支持する。この場合、ホルダの形状の工夫等により、前記放熱手段が外気によって効率的に冷却されるので、対物レンズ本体の温度上昇を抑えることができる。なお、フランジ部材をホルダに固定した際に放熱手段がホルダから露出するような状態で放熱手段を形成している場合、フランジ部材を支持する際に特別の工夫は必要ない。
【００１７】
また、本発明の別の具体的態様では、前記対物レンズが、プラスチックの成形品である。この場合、対物レンズの熱膨張等によって非点収差等の収差が発生しやすくなるが、対物レンズ本体を支持するフランジ部材を上述のように改善して対物レンズ本体の加熱を防止しているので、対物レンズ本体の結像特性を維持しやすく、光ヘッドすなわち光ピックアップ装置の動作性能を安定化させることができる。
【００１８】
また、本発明に係る光ピックアップ装置は、上述の光ヘッドを備え、光記録媒体の記録面上の情報を読み取り、若しくは当該記録面に情報を書き込むことができる。この場合、光記録面上へのスポット形成に際して非点収差、球面収差等が発生しにくくなり、高ＮＡの対物レンズからなる光ヘッドであっても高い検出精度等を確保することができるので、高記録密度の光ディスクに対して高速で情報の記録・再生が可能になる。
【発明を実施するための最良の形態】
【００１９】
〔第１実施形態〕
以下、本発明の第１実施形態に係る光ヘッドついて説明する。図１（ａ）は光ヘッドの要部の分解斜視図であり、図１（ｂ）は対物レンズの斜視図である。また、図２は組立後の光ヘッドの部分拡大断面を概念的に説明する図である。
【００２０】
この光ヘッド１０は、集光用の対物レンズ１１と、この対物レンズ１１を保持するレンズホルダ本体１２と、このレンズホルダ本体１２の外周に形成されたフォーカシングコイル１３と、レンズホルダ本体１２の長手方向の両端に配置されたトラッキングコイル１４，１５とを備える。なお、レンズホルダ本体１２は、不図示のワイヤによってヘッド本体側に対し微小変位可能に支持されており、マグネット若しくはヨーク（不図示）に対向してトラッキングコイル１４，１５等が適所に配置されるようになっている。また、光ヘッド１０は、上記マグネット等によって形成された磁界中に配置されたコイル１３，１４，１５に通電することによって、レンズホルダ本体１２を対物レンズ１１とともに光軸に平行なＺ方向やこれに垂直なＸ方向に対して所望量だけ移動させるコイル駆動回路（不図示）を備える。
【００２１】
ここで、対物レンズ１１は、プラスチック製の両凸レンズであり、円形の対物レンズ本体１１ａの外周に環状のフランジ部１１ｂを有する。なお、対物レンズ本体１１ａに設けた一対の光学面は、例えば非球面等からなるものとすることができるが、単なる曲面に限定されるものではない。例えば、ＣＤ、ＤＶＤ、高記録密度光ディスク等の複数規格に対して情報の再生・記録が可能な互換型の光ヘッドの場合には、対物レンズ本体１１ａの光学面を回折構造或いは光路差付与構造を有するものとすることができる。さらに、これらの光学面は、特殊な輪帯構造に分割することもできる。
【００２２】
図１（ｂ）や図２に示すように、対物レンズ１１のフランジ部１１ｂには、このフランジ部１１ｂに沿って環状に延びる放熱フィン１１ｃが形成されている。この放熱フィン１１ｃは、冷却手段又は放熱手段としてのフィン状構造体であり、フランジ部１１ｂの本体上に等間隔で環状に立設された複数の板状の突起１１ｄを有している。放熱フィン１１ｃは、レンズホルダ本体１２から対物レンズ本体１１ａに伝わる熱量を放熱によって制限する役割や、対物レンズ本体１１ａで発生した熱を吸収する役割を有し、結果的に対物レンズ１１の加熱又は昇温を防止することができる。図示の場合、放熱フィン１１ｃを２重構造としているが、放熱フィン１１ｃの構造は、１重であっても良く或いは３重以上とすることもできる。また、放熱フィン１１ｃを構成する各放熱用の突起１１ｄの厚みや寸法等も用途等に応じて適宜設定することができる。
【００２３】
図１（ａ）に示すように、レンズホルダ本体１２は、中央に円形の開口部１２ａを有する。この開口部１２ａの内周には、突起状支持部である環状支持部１２ｃが段差を有して形成されている。環状支持部１２ｃは、同心状に形成された複数の平坦な支持面ＳＳを上部に有しており、対物レンズ１１の外周に形成された環状のフランジ部１１ｂを下方から支持することができる。
【００２４】
図１（ａ）や図２に示すように、開口部１２ａ内周に形成された環状支持部１２ｃには、この環状支持部１２ｃ上に同心で形成された複数の支持面ＳＳの間に延びる複数の同心の溝１２ｄが環状に形成されている。これらの溝１２ｄは、光ヘッド１０の組立後において、フランジ部１１ｂに設けた放熱フィン１１ｃを構成する各突起１１ｄをそれぞれ個別に収容する。これにより、各突起１１ｄと環状支持部１２ｃとが直接接触することを防止でき、各突起１１ｄを保護することができる。なお、これらの溝１２ｄを外部と連通させるため、支持面ＳＳには、適当な箇所に複数の切欠き１２ｅが形成されており、各突起１１ｄすなわち放熱フィン１１ｃが常時外気に触れるようにしている。この結果、放熱フィン１１ｃが外気によって効率的に冷却され、対物レンズ本体１１ａの温度上昇を抑えることができる。
【００２５】
以下、図１及び図２に示す光ヘッド１０の組み立てについて説明する。まず、型を利用したプラスチック成形によって、所望の形状の対物レンズ１１やレンズホルダ本体１２を形成し準備する。なお、対物レンズ１１については、一対の光学面に対応する両側から型押しすることにより、フランジ部１１ｂに放熱フィン１１ｃを簡易に形成することができる。以上のようにして得たレンズホルダ本体１２の外周にフォーカシングコイル１３を巻き付けて固定するとともに、レンズホルダ本体１２の長手方向の両端に一対のトラッキングコイル１４，１５を取り付けて固定する。次に、レンズホルダ本体１２の開口部１２ａに対物レンズ１１を嵌め込むようにして収容する。これにより、レンズホルダ本体１２のフランジ部１１ｂが環状支持部１２ｃに均等に支持される。この際、環状支持部１２ｃの支持面ＳＳの適所にＵＶ硬化樹脂からなる接着剤ＯＳを付着させておく。つまり、レンズホルダ本体１２の開口部１２ａに対物レンズ１１を嵌め込んで、対物レンズ１１側から接着剤ＯＳにＵＶ光を照射することによって、環状支持部１２ｃ上にフランジ部１１ｂを恒久的に固定することができる。
【００２６】
上記実施形態の光ヘッド１０によれば、対物レンズ１１のフランジ部１１ｂに環状の放熱フィン１１ｃを形成しているので、対物レンズ１１の加熱又は昇温を抑えることができる。これにより、対物レンズ１１を利用した光記録面上へのスポット形成に際して、非点収差、球面収差等が発生しにくくなり、高ＮＡの対物レンズ１１からなる光ヘッドであっても高い検出精度、記録精度等を確保することができる。
【００２７】
〔第２実施形態〕
以下、本発明の第２実施形態に係る光ヘッドついて説明する。図３は、第２実施形態の光ヘッドに関する要部拡大断面の概念図である。この光ヘッドは、第１施形態に係る光ヘッドを変形したものであり、ここでは、変更部分についてのみ説明する。
【００２８】
この光ヘッド１１０の場合、対物レンズ１１１に設けたフランジ部１１１ｂの外周部のみを環状支持部１１２ｃ外周部の支持面ＳＳで支持する。環状支持部１１２ｃにはさらに段差が形成されており、その凹部１１２ｄにはフランジ部１１１ｂに設けた放熱フィン１１１ｃを構成する３重の突起１１１ｄが一括して収容される。この場合、環状支持部１１２ｃに設けた凹部１１２ｄが全周に亘って外気に完全に開放されているので、放熱フィン１１１ｃの各突起１１１ｄが十分に外気に触れ、対物レンズ本体１１ａの温度上昇を効果的に抑えることができる。つまり、対物レンズ１１１がコイル１３，１４，１５（図１参照）等によって加熱されることを確実に防止できる。
【００２９】
〔第３実施形態〕
以下、本発明の第３実施形態に係る光ヘッドついて説明する。図４は、第３実施形態の光ヘッドに関する要部拡大断面の概念図である。この光ヘッドは、第１施形態に係る光ヘッドを変形したものである。
【００３０】
この光ヘッド２１０の場合、対物レンズ２１１に設けたフランジ部２１１ｂの中央部のみを環状支持部２１２ｃ中央部の支持面ＳＳで支持する。環状支持部２１２ｃには段差が形成されており、その内側の凹部２１２ｄにはフランジ部２１１ｂに設けた放熱フィン２１１ｃを構成する内側の突起２１１ｄが収容される。一方、対物レンズ２１１のフランジ部２１１ｂにも段差が形成されており、その外側の凹部２１１ｇには放熱フィン２１１ｃのうち外側の突起２１１ｄが収容される。この場合、環状支持部２１２ｃに設けた凹部２１２ｄやフランジ部２１１ｂに設けた凹部２１１ｇが全周に亘って外気に開放されているので、放熱フィン２１１ｃの各突起２１１ｄが十分に外気に触れ、対物レンズ本体１１ａの温度上昇を効果的に抑えることができる。つまり、対物レンズ２１１がコイル１３，１４，１５（図１参照）等によって加熱されることを確実に防止できる。
【００３１】
〔第４実施形態〕
以下、本発明の第４実施形態に係る光ヘッドついて説明する。図５は、第４実施形態の光ヘッドに関する要部拡大断面の概念図である。この光ヘッドは、第１施形態に係る光ヘッドを変形したものである。
【００３２】
この光ヘッド３１０の場合、対物レンズ３１１に設けたフランジ部３１１ｂの外周部を環状支持部３１２ｃ外周側の支持面ＳＳで支持する。フランジ部３１１ｂの上下面には、このフランジ部３１１ｂに沿って環状に延びる多孔状構造体３１１ｃが形成されている。これらの多孔状構造体３１１ｃは、冷却手段又は放熱手段であり、フランジ部３１１ｂの上下部分に等間隔で同心状に刻設された複数の溝３１１ｄを有している。各多孔状構造体３１１ｃは、レンズホルダ本体１２から対物レンズ本体１１ａに伝わる熱量を放熱や遮断等によって制限する役割や、対物レンズ本体１１ａで発生した熱を放熱する役割を有し、結果的に対物レンズ３１１の加熱又は昇温を防止することができる。環状支持部３１２ｃには段差が形成されており、その凹部３１２ｄは全周に亘って外気に開放されている。これにより、上下一対の多孔状構造体３１１ｃの各溝３１１ｄ内に十分な外気が流れ込み、対物レンズ本体１１ａの温度上昇を効果的に抑えることができる。つまり、対物レンズ３１１がコイル１３，１４，１５（図１参照）等によって加熱されることを確実に防止できる。
【００３３】
〔第５実施形態〕
以下、本発明の第５実施形態に係る光ヘッドついて説明する。図６は、第５実施形態の光ヘッドの要部の拡大断面の概念図である。この光ヘッドは、第４施形態に係る光ヘッドを変形したものである。
【００３４】
この光ヘッド４１０の場合、対物レンズ４１１に設けたフランジ部４１１ｂの全体を環状支持部４１２ｃ上部に全体的に形成された支持面ＳＳで支持する。フランジ部４１１ｂの上面にのみ、このフランジ部４１１ｂに沿って環状に延びる多孔状構造体３１１ｃが形成されている。この多孔状構造体３１１ｃは、レンズホルダ本体１２から対物レンズ本体１１ａに伝わる熱量を放熱や遮断等によって制限する役割や、対物レンズ本体１１ａで発生した熱を放熱する役割を有し、結果的に対物レンズ４１１の加熱又は昇温を防止することができる。これにより、対物レンズ４１１がコイル１３，１４，１５（図１参照）等によって加熱されることを確実に防止できる。
【００３５】
〔第６実施形態〕
図６は、上記第１〜第５実施形態に係る光ヘッド１０（１１０，２１０，３１０，４１０）を組み込んだ光ピックアップ装置の構成を概略的に示す図である。
【００３６】
この光ピックアップ装置は、第１の光ディスク６１の情報再生用の半導体レーザ６２と、第２の光ディスク６５の情報再生用の半導体レーザ６６とを有しており、すなわち、互いに波長の異なるレーザ光を射出することができる。両半導体レーザ６２、６６からのレーザ光は、第１〜第５実施形態の光ヘッド１０（１１０〜４１０）に設けた対物レンズ１１（１１１，２１１，３１１，４１１）を利用して光ディスク６１、６５に照射され、光ディスク６１、６５からの反射光は、対物レンズ１１（１１１〜４１１）を利用して集光される。
【００３７】
まず第１の光ディスク６１を再生する場合、第１半導体レーザ６２からビームを出射し、出射された光束は、ビームスプリッタ７１を透過し、偏光ビームスプリッタ７２、コリメータ７３、１／４波長板７４を透過して円偏光の平行光束となる。この光束は絞り７６によって絞られ、対物レンズ１１（１１１〜４１１）により第１の光ディスク６１の透明基板６１ａを介して情報記録面６１ｂに集光される。
【００３８】
情報記録面６１ｂで情報ビットにより変調されて反射した光束は、再び対物レンズ１１（１１１〜４１１）、絞り７６、１／４波長板７４、コリメータ７３を透過して、偏光ビームスプリッタ７２に入射し、ここで反射してシリンドリカルレンズ７８により非点収差が与えられ、光検出器７９上ヘ入射し、その出力信号を用いて、第１光ディスク６１に記録された情報の読み取り信号が得られる。 
また、光検出器７９上でのスポットの形状変化、位置変化による光量変化を検出して、合焦（フォーカス）検出やトラック検出を行う。この検出に基づいて光ヘッド１０（１１０〜４１０）に組み込んだコイル、マグネット等からなる２次元アクチュエータが第１の半導体レーザ６２からの光束を第１光ディスク６１の情報記録面６１ｂ上に結像するように対物レンズ１１（１１１〜４１１）を光軸方向に移動させるとともに、この半導体レーザ６２からの光束を所定のトラックに結像するように対物レンズ１１（１１１〜４１１）を光軸に垂直な方向に移動させる。
【００３９】
一方、第２の光ディスク６５を再生する場合、第２半導体レーザ６６からビームを出射し、出射された光束は、光合成手段であるビームスプリッタ７１で反射され、上記第１半導体レーザ６２からの光束と同様、偏光ビームスプリッタ７２、コリメータ７３、１／４波長板７４、絞り７６、対物レンズ１１（１１１〜４１１）を透過し、第２の光ディスク６５の透明基板６５ａを介して情報記録面６５ｂに集光される。
【００４０】
情報記録面６５ｂで情報ビットにより変調されて反射した光束は、再び対物レンズ１１（１１１〜４１１）、絞り７６、１／４波長板７４、コリメータ７３、偏光ビームスプリッタ７２、シリンドリカルレンズ７８を介して、光検出器７９上へ入射し、その出力情号を用いて、第２光ディスク６５に記録された情報の読み取り信号が得られる。
【００４１】
また、第１光ディスク６１の場合と同様、光検出器７９上でのスポットの形状変化、位置変化による光量変化を検出して、合焦検出やトラック検出を行い、光ヘッド１０（１１０〜４１０）に組み込んだ２次元アクチュエータにより、フォーカシング及びトラッキングのために対物レンズ１１（１１１〜４１１）を移動させる。
【００４２】
第６実施形態の光ピックアップ装置では、対物レンズ１１（１１１〜４１１）自体で放熱するタイプの光ヘッド１０（１１０〜４１０）を用いているので、レンズホルダ本体１２から対物レンズ１１（１１１〜４１１）に伝わる熱量を制限することができ、対物レンズ１１（１１１〜４１１）の熱変動、特に加熱を防止することができる。よって、対物レンズ１１（１１１〜４１１）を利用した光記録面上へのスポット形成に際して非点収差、球面収差等が発生しにくくなり、高ＮＡの対物レンズ１１（１１１〜４１１）からなる光ヘッドであっても高い検出精度、記録精度等を確保することができる。
【００４３】
以上実施形態に即して本発明を説明したが、本発明は、上記実施形態に限定されるものではなく、様々な変形が可能である。例えば、上記第１〜第５実施形態において、レンズホルダ本体１２に断熱用の放熱溝やスリット状貫通孔を追加的に形成することができる。この場合、相乗的に対物レンズ１１（１１１〜４１１）の温度上昇を防止でき、結像特性の温度変化をさらに低減することができる。
【図面の簡単な説明】
【００４４】
【図１】（ａ）は第１実施形態の光ヘッドの構造を説明する斜視図であり、（ｂ）は対物レンズの斜視図である。
【図２】図１の光ヘッドの構造を説明する側方断面図である。
【図３】第２実施形態の光ヘッドの構造を説明する側方断面図である。
【図４】第３実施形態の光ヘッドの構造を説明する側方断面図である。
【図５】第４実施形態の光ヘッドの構造を説明する側方断面図である。
【図６】第５実施形態の光ヘッドの構造を説明する側方断面図である。
【図７】第６実施形態の光ピックアップ装置の構造を説明するブロック図である。
【符号の説明】
【００４５】
１０    光ヘッド
１１    対物レンズ
１１ａ    対物レンズ本体
１１ｂ    フランジ部
１１ｃ    放熱フィン
１２    レンズホルダ本体
１２ａ    開口部
１２ｃ    環状支持部
１３    フォーカシングコイル
１４,１５    トラッキングコイル
６１    光ディスク
６１ｂ    情報記録面
７９    光検出器
【図１】
2005063515.tif 000003
【図２】
2005063515.tif 000004
【図３】
2005063515.tif 000005
【図４】
2005063515.tif 000006
【図５】
2005063515.tif 000007
【図６】
2005063515.tif 000008
【図７】
2005063515.tif 000009